(57)【要約】【課題】防水機能を確保しつつ、不要輻射および自家中毒の低減を可能とする電子機器を提供すること。【解決手段】金属フレームに設置された表示パネルと、前記表示パネル用の信号処理を行う回路基板と、開口部を有し、前記表示面が露出するように前記表示パネルを前記開口部位置に固定する第１筐体部と、前記回路基板を固定する第２筐体部と、前記第１筐体部および前記第２筐体部の外周近傍で押圧して挟み込まれる防水用弾性部材と、を備え、前記回路基板は、端部において、グラウンド導体を露出させたグラウンド露出部を有し、前記第１筐体部材は、前記開口部端において、前記金属フレームと前記グラウンド露出部とを導電接触させる接触部を有し、前記接触部は、前記防水用弾性部材における押圧に対する反発力によって前記グラウンド露出部との接触が強まるように構成する。【選択図】図２
2010107633.tif 000002
【特許請求の範囲】
【請求項１】
金属フレームに設置された表示パネルと、
前記表示パネル用の信号処理を行う回路基板と、
開口部を有し、前記表示面が露出するように前記表示パネルを前記開口部位置に固定する第１筐体部と、
前記回路基板を固定する第２筐体部と、
前記第１筐体部および前記第２筐体部の外周近傍で押圧して挟み込まれる防水用弾性部材と、を備え、
前記回路基板は、
端部において、グラウンド導体を露出させたグラウンド露出部を有し、
前記第１筐体部材は、
前記開口部の端部において、前記金属フレームと前記グラウンド露出部とを導電接触させる接触部を有し、
前記接触部は、
前記防水用弾性部材における押圧に対する反発力によって前記グラウンド露出部との接触が強まるように構成されている、
電子機器。
【請求項２】
前記接触部は、
前記グラウンド露出部と接触する接触面を有する鉤形状を有しており、
前記接触面は、
前記グラウンド露出部と対向して位置し、前記防水用弾性部材における押圧に対する反発力によって前記グラウンド露出部と押し合うように構成されている、
請求項１記載の電子機器。
【請求項３】
前記接触部は、
前記グラウンド露出部に接触する第１の突起部と、
前記金属フレームに接触する第２の突起部と、を有する、
請求項１記載の電子機器。
【請求項４】
前記接触部は、
前記電気回路全体を囲むように配置されている、
請求項１記載の電子機器。
【発明の詳細な説明】
【技術分野】
【０００１】
本発明は、電子機器に関する。特に、防水機能を有する電子機器に関する。
【背景技術】
【０００２】
近年、ワンセグ（携帯電話・移動体端末向けの１セグメント部分受信サービスの略称）放送に代表されるように、デジタル放送を受信し、映像・音声を表示可能な小型の携帯型電子機器が増えてきている。
【０００３】
一方、例えば風呂場・台所等で使用するために、筐体の隙間をゴム材料等でシールして、水気が電子機器内に入らない構成を取る電子機器の需要が増加している。
【０００４】
これらの電子機器においては、電磁波の不要輻射の問題に加えて、電子機器自身が出す放射ノイズによりデジタル放送の受信感度が劣化する自家中毒と呼ばれる問題が大きくなってきている。これらの要因は、機器内におけるシグナルグラウンドが不安定となる事が原因の一つであると知られている。
【０００５】
そこで、電子機器の筐体を金属や導電樹脂で形成し、電子回路基板のグラウンドを金属筐体に接続して、シグナルグラウンドを強化することで、輻射ノイズ・自家中毒を抑えている。また、筐体を金属筐体や導電性樹脂筐体にすることで、電子機器内から出る不要電磁波輻射を抑制したり、外部のアンテナに入り込むノイズを低減したりする効果もある。
【０００６】
例えば、特許文献１には、導電性のゴムを使って防水機能とシールド構造の両立を図る方法が提案されている。
【特許文献１】特開平５−３０８１９８号公報
【発明の開示】
【発明が解決しようとする課題】
【０００７】
しかしながら、これらの構造においても回路基板のシグナルグラウンドの安定性が不十分な場合があった。
【０００８】
本発明は上記課題に鑑みてなされたものであり、防水機能を確保しつつ、不要輻射および自家中毒の低減を可能とする電子機器を提供することを目的とする。
【課題を解決するための手段】
【０００９】
本発明の電子機器は、
金属フレームに設置された表示パネルと、
前記表示パネル用の信号処理を行う回路基板と、
開口部を有し、前記表示面が露出するように前記表示パネルを前記開口部位置に固定する第１筐体部と、
前記回路基板を固定する第２筐体部と、
前記第１筐体部および前記第２筐体部の外周近傍で押圧して挟み込まれる防水用弾性部材と、を備え、
前記回路基板は、
端部において、グラウンド導体を露出させたグラウンド露出部を有し、
前記第１筐体部材は、
前記開口部の端部において、前記金属フレームと前記グラウンド露出部とを導電接触させる接触部を有し、
前記接触部は、
前記防水用弾性部材における押圧に対する反発力によって前記グラウンド露出部との接触が強まるように構成されている。
【発明の効果】
【００１０】
本発明の電子機器によれば、防水機能を確保しつつ、不要輻射および自家中毒の低減を可能とする電子機器を提供することができる。
【発明を実施するための最良の形態】
【００１１】
以下、本発明に係る実施形態について図面を参照して説明する。なお、以下の各実施形態において、同様の構成要素については同一の符号を付し、再度の説明を省略する場合がある。
【００１２】
（実施の形態１）
本発明の実施の形態に係る携帯型液晶表示装置について、図１乃至図８を参照して説明する。
【００１３】
図１（ａ）は、本発明の実施の形態１に係る携帯型液晶表示装置１の概略構成を示す分解斜視図である。図１（ｂ）は、携帯型液晶表示装置１の正面図である。なお、本実施形態においては、図１（ａ）に示すｚ軸の正の方向を上方向、ｚ軸の負の方向を下方向、ｘ軸の方向を左右方向、ｙ軸の正の方向を正面方向または前面方向または表示面方向、ｙ軸の負の方向を後面方向または背面方向と呼ぶ場合がある。
【００１４】
液晶表示装置１は、大別して、液晶パネル１０と、表示面側筐体１１と、背面側筐体１２と、外部アンテナ１３と、電気回路基板１４と、防水部材１５と、を備えている。
【００１５】
液晶パネル１０は、表示面側筐体１１の開口部にその表示面が露出するように配置されている。液晶パネル１０は、電気回路基板１４からの電気信号を受けて、映像や文字などの各種情報を表示面に表示する。液晶パネル１０の背面側、つまり表示面と反対側は、金属のフレーム枠で覆われている。
【００１６】
図２は、図１（ｂ）におけるＡ−Ａ断面の一部を示した部分断面図である。液晶パネル１０は、上述したように背面側に金属のフレーム枠１０１が設けられている。このフレーム枠１０１内に液晶パネル１０の本体が収納されて設置されている。ここで、本体とは液晶パネル１０の表示機能を果たす主要部を言い、説明は省略するが、液晶層、偏光板、電極、ガラス板などから構成される。
【００１７】
表示側筐体１１および背面側筐体１２は、樹脂材料からなる。表示面側筐体１１および背面側筐体１２は、電気回路基板１４を内部に包含する形で外部筐体を構成する。表示側筐体１１は、開口部を有し、前述したようにその開口部から液晶パネル１０の表示面が露出するように、液晶パネル１０を保持している。背面筐体１２には、内側に電気回路基板１４が固定されている。
【００１８】
表示側筐体１１の内側には、鉤状の接触部１１０が複数設けられている。接触部１１０は、表示側筐体１１と背面側筐体１２を嵌合した際に電気回路基板１４の背面側の面に鉤状部分がかみ合うように構成されている。接触部１１０は、電気回路部１４を囲むように配置されている。なお、図１（ａ）においては、表示面側筐体１１および背面側筐体１２の左右側にのみ接触部材を記載し、上下側には記載していない。実際には上下側にも存在するが、図面を見やすくするために記載を省略している。
【００１９】
表示側筐体１１および背面側筐体１２は、樹脂材料からなるが、図２中斜線領域で示す内側表面はアルミ蒸着の導電膜２００が形成されている。この導電膜２００部分とフレーム枠１０１は導電接触するように構成されている。また、接触部１１０にも、導電膜２００が形成されており、接触部１１０を介して、表示側筐体１１と電気回路基板１４が電気的に接続される。
【００２０】
図３は、表示面側筐体１１における接触部１１０の拡大図である。接触部１１０は上述したように鉤状の構成をしており、電気回路基板１４のグラウンド露出部１４０と接触する接触面１１１と、フレーム枠１０１の側面と接触する接触面１１２を有している。本実施の形態においては、接触面１１１は、その法線方向が表示面の法線方向と略一致するように形成されている。
【００２１】
外部アンテナ１３は、ダイポールアンテナであり、地上波デジタル放送の電波を受信可能である。外部アンテナ１３は、回動可能に取り付けられており、電波の受信状況に応じて適宜外部アンテナ１３の向きを変えることができる。外部アンテナ１３は、電気回路部１４に電気的に接続されている。
【００２２】
電気回路基板１４は、各種電子部品が搭載されており、外部アンテナ１３で受信した電気信号を処理して、液晶パネル１０が表示可能な電気信号として液晶パネル１０へ送る。外部アンテナ１３で受信した信号以外に、携帯型液晶表示装置１の使用者から入力される外部情報に基づいて、液晶パネル１０に対する各種の信号処理を実施する。このように電気回路基板１４は、各種の信号処理を行うので、電磁ノイズの発生源となる。
【００２３】
図４は、電気回路基板１４の、背面の概略図を示している。電気回路基板１４は、その背面の周辺部分に、グラウンド導体を露出させたグラウンド露出部１４０が設けられている。このグラウンド露出部１４０に、上述した接触部１１０の接触面１１１が接触する。
【００２４】
防水部材１５は、弾性を有するゴム材料からなる。具体的には、例えばクロロプレンゴムなどを用いることができる。防水部材１５は、表示面筐体１１と背面側筐体１２とに押圧されて挟まれるように配置されている。防水部材１５は、表示面筐体１１と背面側筐体１２の内側で、かつ、外周近傍に設けられている。そして、防水部材１５は、接触部１１０および接触部１２０よりも外側に設けられている。つまり、防水部材１５は、電気回路部１４と、接触部１１０および接触部１２０を囲むように配置される。よって、防水部材１５は、電気回路基板１４に対して、外部からの水分の浸入を防ぐ、防水機能の役割を果たしている。
【００２５】
防水部材１５は、図２に示すように表示面側筐体１１と背面側筐体１２にそれぞれ設けた固定部２０１に挟まれるように配置される。固定部２０１および防水部材１５の更に外側には、ネジ１６で表示面側筐体１１と背面側筐体１２を固定するネジ止め部２０２が配置される。ネジ止め部２０２においてネジ１６を締めることで、防水部材１５が押圧されて防水機能を果たす。
【００２６】
防水部材１５は、表示面側筐体１１および背面側筐体１２の押圧に対して、図２中に矢印で示す方向に反発力を生じさせる。この防水部材１５の反発力によって、表示面側筐体１１には図２の上側方向へ、背面側筐体１２には図２の下側方向へ、それぞれ力が作用する。すなわち、接触部１１０の接触面１１１は上側方向に、電気回路基板１４のグラウンド露出部１４０は下側方向に力が働くことになる。このような作用によれば、防水部材１５の反発力の方向が、接触面１１１とグラウンド露出部１４０の接触を強める方向に作用する。よって、接触インピーダンスが低くなる方向に働く。
【００２７】
このような構成によれば、防水部材１５における押圧に対する反発力で電気回路基板１４のシステムグラウンドを筐体に対して低インピーダンスで接触させることができる。つまり。システムグラウンドを安定化することができる。
【００２８】
なお、本実施の形態においては、導電膜２００としてアルミ蒸着のものを用いたが、これに限られない。例えば、無電界メッキのように導電性を有するものあれば同様の効果を奏する。また、表示面側筐体１１と背面側筐体１２として、カーボンなどの導電性フィラーを練り込むことで導電性を有するものを用いても良い。また、コストアップにはなるが、金属筐体を用いても良い。
【００２９】
また、本実施の形態においては、表示面側筐体１１の内側に設けた接触部１１０を、表示面側筐体１１と同じ樹脂材料で構成したが、これに限られない。例えば、接触部１１０を別体として導電材料で構成してもよい。
【００３０】
また、本実施の形態においては、接触部１１０の形状及び配置が図１および図３に示すようなものとしたが、これに限られない。例えば、図５および図６に示すような幅広形状のものであってもよい。図５は、幅広い形状の接触部１１０ａを有する構成の概略斜視図であり、図６は、接触部１１０ａの拡大図である。このような構成によれば、接触面積をより多くすることができ、更に接触インピーダンスを低下させることができる。
【００３１】
なお、本実施の形態においては、接触部の形状として図３に示す形状を用いたが、これに限られない。例えば、図７に示すようなものを用いても良い。図７は、接触部１１０ｂの拡大図を示している。接触部１１０ｂは、フレーム枠１０１との接触部分に第１の突起部１１３ａを、グラウンド露出部１４０との接触部分に第２の突起部１１３ｂをそれぞれ有する。このような構成とすることで、防水部材１５の伸縮で生じる押圧力による、接触部１１０ｂがフレーム枠１０１およびグラウンド露出部１４０に接触する際の力が増す。よって、電気回路基板１４のシステムグラウンドが更に安定化され、不要電磁波輻射・自家中毒の更なる低減が可能になる。
【００３２】
また、突起部１１３ａおよび１１３ｂの形状は、図７のような半円形状のものに限られない。例えば図８に示すように台形形状の突起部１１４ａおよび１１４ｂを用いても良い。台形形状とすることで半円形状よりも接触面積を増加させることができる。よって、接触する際の力を増すと共に接触面積を増やすことができ、電気回路基板１４のシステムグラウンドが更に安定化され、不要電磁波輻射・自家中毒の更なる低減が可能になる。
【００３３】
また、本実施の形態においては、グラウンド露出部１４０は、電気回路基板の端部において、全周を露出させる構成としたが、これに限られない。例えば、接触部と接触する部分だけを露出させる構成としても良い。このようにすれば、グラウンド露出部以外の部分を回路部品の実装などに有効利用できる。
【００３４】
また、本実施の形態においては、電子機器として表示面及び筐体の外形が矩形形状の携帯型液晶表示装置を例に示したが、これに限られない。例えば、図９に示すように表示パネルや筐体外形が円形のものに適用することも可能である。
【００３５】
また、本実施の形態においては、表示パネルとして液晶パネルを用いた例を示したが、これに限られない。例えば、有機ＥＬパネルや無機ＥＬパネルなどを用いた電子機器に適用することも可能である。
【００３６】
また、本実施の形態においては、電子機器として携帯型液晶表示装置を例に示したが、これに限られない。例えば、携帯電話、携帯型音楽プレーヤー、デジタルカメラ、デジタルビデオカメラなどにも適用可能である。要するに、防水機能を有する電子機器であればどのようなものでも適用可能である。
【００３７】
また、本実施の形態における表示面側筐体１１は、第１筐体部の一例である。また、本実施の形態における背面側筐体１２は、第２筐体部の一例である。また、本実施の形態における防水部材１５は、防水用弾性部材の一例である。
【産業上の利用可能性】
【００３８】
本発明の電子機器は、例えば、防水機能を有する携帯型液晶表示装置、携帯電話、携帯型音楽プレーヤー、デジタルカメラ、デジタルビデオカメラなどに適用可能である。
【図面の簡単な説明】
【００３９】
【図１】（ａ）本発明の実施の形態に係る携帯型液晶表示装置の概略構成を示す分解斜視図、（ｂ）携帯型液晶表示装置の正面図
【図２】本発明の実施の形態に係る携帯型液晶表示装置の部分断面図
【図３】接触部の拡大図
【図４】電気回路基板の背面の概略図
【図５】本発明の実施の形態に係る携帯型液晶表示装置の別の構成例での概略構成を示す分解斜視図
【図６】別の構成例での接触部の拡大図
【図７】半円形形状の突起部を有する接触部の断面図
【図８】台形形状の突起部を有する接触部の断面図
【図９】円形の電子機器へ適用した場合の構成を示す斜視図
【符号の説明】
【００４０】
１、１ａ、１ｂ  携帯型液晶表示装置
１０、１０ａ  液晶パネル
１１  表示面側筐体
１２  背面側筐体
１３  外部アンテナ
１４  電気回路基板
１５  防水部材
１６  ネジ
１０１  フレーム枠
１１０、１１０ａ、１１０ｂ、１１０ｃ  接触部
１１１、１１２  接触面
１１３ａ、１１３ｂ、１１４ａ、１１４ｂ  突起部
２００  導電膜
２０１  固定部
２０２  ネジ止め部
【図１】
2010107633.tif 000003
【図２】
2010107633.tif 000004
【図３】
2010107633.tif 000005
【図４】
2010107633.tif 000006
【図５】
2010107633.tif 000007
【図６】
2010107633.tif 000008
【図７】
2010107633.tif 000009
【図８】
2010107633.tif 000010
【図９】
2010107633.tif 000011